(57)【要約】【課題】家電製品等の電子機器の動作に関する情報を取得して、主として主婦の家事を効率化するスケジュール提案を行う装置は存在しなかった。【解決手段】２以上の電子機器から当該電子機器の動作に関する情報である動作情報を受信する動作情報受信部と、動作情報と電子機器が動作した時刻に関する時刻情報を有する情報である動作時刻情報を蓄積する動作時刻情報蓄積部と、電子機器が動作する場合の制約に関する情報である制約情報を格納している制約情報格納部と、動作時刻情報と制約情報に基づいて、２以上の電子機器を動作させるスケジュールに関する情報であるスケジュール情報を構成するスケジュール情報構成部と、スケジュール情報を出力するスケジュール情報出力部を具備する情報処理装置により、具体的な電子機器の動作状況と電子機器の動作の際の制約を考慮した効果的な生活提案が可能である。【選択図】  図２
2004259116.tif 000002
【特許請求の範囲】
【請求項１】
２以上の電子機器から当該電子機器の動作に関する情報である動作情報を受信する動作情報受信部と、
前記動作情報と前記電子機器が動作した時刻に関する時刻情報を有する情報である動作時刻情報を蓄積する動作時刻情報蓄積部と、
電子機器が動作する場合の制約に関する情報である制約情報を格納している制約情報格納部と、
前記動作時刻情報と前記制約情報に基づいて、２以上の電子機器を動作させるスケジュールに関する情報であるスケジュール情報を構成するスケジュール情報構成部と、
前記スケジュール情報を出力するスケジュール情報出力部を具備する情報処理装置。
【請求項２】
電子機器の使用者のスケジュールに関する情報である使用者スケジュール情報を格納している使用者スケジュール情報格納部をさらに具備し、前記スケジュール情報構成部は、前記使用者スケジュール情報と前記動作時刻情報と前記制約情報に基づいてスケジュール情報を構成する請求項１記載の情報処理装置。
【請求項３】
格納している動作時刻情報と制約情報に基づいて、２以上の電子機器を動作させるスケジュールに関する情報であるスケジュール情報を構成するスケジュール情報構成ステップと、
前記スケジュール情報出力するスケジュール情報出力ステップを具備する生活提案方法。
【請求項４】
前記スケジュール情報構成ステップは、格納している使用者スケジュール情報と動作時刻情報と制約情報に基づいてスケジュール情報を構成する請求項３記載の生活提案方法。
【請求項５】
コンピュータに、
格納している動作時刻情報と制約情報に基づいて、２以上の電子機器を動作させるスケジュールに関する情報であるスケジュール情報を構成するスケジュール情報構成ステップと、
前記スケジュール情報を出力するスケジュール情報出力ステップを実行させるためのプログラム。
【請求項６】
コンピュータに、
格納している動作時刻情報と使用者スケジュール情報と制約情報に基づいて、２以上の電子機器を動作させるスケジュールに関する情報であるスケジュール情報を構成するスケジュール情報構成ステップと、
前記スケジュール情報を出力するスケジュール情報出力ステップを実行させるためのプログラム。
【発明の詳細な説明】
【０００１】
【発明の属する技術分野】
本発明は、家電製品等の電子機器を使用するユーザに対して、時間を有効に利用するための生活提案をする情報処理装置や方法等に関する。
【０００２】
【従来の技術】
従来の技術として、場所および時間の組み合わせをもとにしたスケジュールデータの統一的な管理を可能にし，ユーザに対し，そのスケジュール情報を提示，またはそのスケジュールに対応するアクションを提案・実行することを目的とするシステムはあった（特許文献１）。
【０００３】
本従来技術は、利用者に対し，状況に応じてスケジュールの提示，スケジュールに応じたアクションの提案・実行を行う装置であって，少なくても場所情報および時間情報と，そのときに行うべきスケジュール，またそのスケジュールに対するユーザへの提示の仕方およびスケジュールに応じたアクションの提案・実行の仕方の組みによって記述することのできる所定の仕様に基づくインストラクションの系列からなるスケジュールを入力する手段と，現在地点および現在時刻の状況を獲得し，あるいは仮想的な現在地点および仮想的な現在時刻の状況を生成する手段と，入力したスケジュールに記述されたインストラクションを，状況獲得または状況生成によって得られた現在地点および現在時刻に応じて処理する手段と，前記インストラクションの処理に伴って，スケジュールの提示または／およびスケジュールに応じたアクションの提案・実行をする手段とを備えることを特徴とするスケジュール提示およびそれに応じたアクション提案・実行装置である。
【０００４】
【特許文献１】
特開２００１−９２８７８号公報（第１頁、第１図等）
【０００５】
【発明が解決しようとする課題】
しかしながら、従来技術において、家電製品等の電子機器の動作に関する情報を取得して、主として主婦の家事を効率化するスケジュール提案ではなかった。
【０００６】
【課題を解決するための手段】
そこで、第一の発明は、２以上の電子機器から当該電子機器の動作に関する情報である動作情報を受信する動作情報受信部と、動作情報と電子機器が動作した時刻に関する時刻情報を有する情報である動作時刻情報を蓄積する動作時刻情報蓄積部と、電子機器が動作する場合の制約に関する情報である制約情報を格納している制約情報格納部と、動作時刻情報と制約情報に基づいて、２以上の電子機器を動作させるスケジュールに関する情報であるスケジュール情報を構成するスケジュール情報構成部と、スケジュール情報を出力するスケジュール情報出力部を具備する情報処理装置であり、かかる情報処理装置により、具体的な電子機器の動作状況と電子機器の動作の際の制約を考慮した効果的な生活提案が可能である。
【０００７】
また、第二の発明は、情報処理装置におけるスケジュール情報構成部は、使用者スケジュール情報と動作時刻情報と制約情報に基づいてスケジュール情報を構成することにより、第一の発明にける情報処理装置以上に、効果的できめ細かい生活提案が可能である。
【０００８】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【０００９】
（実施の形態１）
図１は、本実施の形態に係る情報処理システムの概念図である。情報処理システムは、１以上の電子機器１１と情報処理装置１２を具備する。電子機器１１は、総称して「１１」の符号を付し、個別には１１（１）、１１（２）・・・１１（ｎ）と符号を付す場合もある。電子機器１１は、洗濯機、ビデオ、冷蔵庫、掃除機、電子レンジなどの家電機器を主として想定している。情報処理装置１２は、例えば、パーソナルコンピュータ、ホームサーバ等である。
【００１０】
図２は、本実施の形態に係る情報処理システムの構成を示すブロック図である。電子機器１１は、動作部１１０１、動作情報構成部１１０２、動作情報送信部１１０３を具備する。
【００１１】
情報処理装置１２は、動作情報受信部１２０１、時計１２０２、動作時刻情報蓄積部１２０３、制約情報格納部１２０４、スケジュール情報構成部１２０５、スケジュール情報出力部１２０６、入力受付部１２０７を具備する。
【００１２】
動作部１１０１は、電子機器１１の動作を実行する。動作部１１０１が行う動作は、電子機器１１によって異なり、また１以上の動作を行う。動作部１１０１の実現手段は、その内容により異なる。
【００１３】
動作情報構成部１１０２は、動作部１１０１が行う動作に関する情報である動作情報を構成する。動作情報のデータ構造は問わない。動作情報とは、例えば、掃除機の電源がＯＮになったことを示す情報である。また、動作情報とは、例えば、掃除機の電源がＯＦＦになったことを示す情報である。動作情報構成部１１０２は、通常、ＭＰＵやメモリ等から実現され得る。動作情報構成部１１０２が情報を構成するための処理手順は、通常、ソフトウェアで実現され、当該ソフトウェアはＲＯＭ等の記録媒体に記録されている。但し、ハードウェア（専用回路）で実現しても良い。
【００１４】
動作情報送信部１１０３は、動作情報構成部１１０２が構成した動作情報を情報処理装置１２に送信する。動作情報送信部１１０３は、情報処理装置１２に情報を送信するための情報処理装置１２のＩＰアドレスなどを予め格納している。動作情報送信部１１０３は、無線の通信手段が好適であるが、放送手段や有線の通信手段でも実現可能である。
【００１５】
動作情報受信部１２０１は、１以上の電子機器１１から動作情報を受信する。動作情報受信部１２０１は、無線の通信手段が好適であるが、放送手段等でも実現可能である。
【００１６】
動作時刻情報蓄積部１２０３は、動作情報受信部１２０１が受信した動作情報と電子機器１１が動作した時刻に関する時刻情報を有する情報である動作時刻情報を蓄積する。ここで、時刻情報は、例えば、動作情報受信部１２０１が動作情報を受信した時刻を時計１２０２から取得したものである。動作時刻情報蓄積部１２０３が動作時刻情報を蓄積する記録媒体は、内蔵のものでも、外付けのものでも良い。動作時刻情報蓄積部１２０３は、通常、ＭＰＵやメモリ等から実現され得る。動作時刻情報蓄積部１２０３が情報を蓄積するための処理手順は、通常、ソフトウェアで実現され、当該ソフトウェアはＲＯＭ等の記録媒体に記録されている。但し、ハードウェア（専用回路）で実現しても良い。
【００１７】
制約情報格納部１２０４は、電子機器が動作する場合の制約に関する情報である制約情報を格納している。制約情報のデータ構造は問わない。制約情報とは、例えば、掃除機とドライヤーは、一緒に動作しない、などの情報である。例えば、主婦が掃除をしながらドライヤーをかけることはないからである。制約情報格納部１２０４は、不揮発性の記録媒体が好適であるが、揮発性の記録媒体でも実現可能である。
【００１８】
スケジュール情報構成部１２０５は、動作時刻情報と制約情報に基づいて、２以上の電子機器を動作させるスケジュールに関する情報であるスケジュール情報を構成する。スケジュール情報を構成するアルゴリズムは問わない。スケジュール情報構成部１２０５は、通常、ＭＰＵやメモリ等から実現され得る。スケジュール情報構成部１２０５が情報を構成するための処理手順は、通常、ソフトウェアで実現され、当該ソフトウェアはＲＯＭ等の記録媒体に記録されている。但し、ハードウェア（専用回路）で実現しても良い。
【００１９】
スケジュール情報出力部１２０６は、スケジュール情報構成部１２０５が構成したスケジュール情報を出力する。出力とは、ディスプレイへの表示が好適であるが、プリンタへの印字、音出力、外部の装置への送信等を含む概念である。スケジュール情報出力部１２０６は、ディスプレイなどの出力媒体を含むと考えても含まないと考えても良い。スケジュール情報出力部１２０６は、例えば、ディスプレイとそのドライバーソフトおよび、スケジュール情報を解釈して、表示データを構成するソフトウェアから実現される。
【００２０】
入力受付部１２０７は、スケジュール情報の出力を指示する入力である出力指示を受け付ける。入力手段は、テンキーやキーボードやマウスやメニュー画面によるもの等、何でも良い。入力受付部１２０７は、テンキーやキーボード等の入力手段のデバイスドライバーや、メニュー画面の制御ソフトウェア等で実現され得る。
【００２１】
以下、本情報処理システムの動作について説明する。まず、電子機器１１の動作について説明する。電子機器１１は、予め決められた動作を行った場合、動作が完了した場合など、動作情報を構成し、情報処理装置１２に送信する。
【００２２】
次に、情報処理装置１２の動作について図３のフローチャートを用いて説明する。
【００２３】
（ステップＳ３０１）動作情報受信部１２０１は、動作情報を受信したか否かを判断する。動作情報を受信すればステップＳ３０２に行き、動作情報を受信しなければステップＳ３０５に飛ぶ。
【００２４】
（ステップＳ３０２）動作時刻情報蓄積部１２０３は、時計１２０２から現在時刻を取得する。
【００２５】
（ステップＳ３０３）動作時刻情報蓄積部１２０３は、ステップＳ３０１で受信した動作情報とステップＳ３０２で取得した時刻に基づいて動作時刻情報を構成する。
【００２６】
（ステップＳ３０４）動作時刻情報蓄積部１２０３は、ステップＳ３０３で構成した動作時刻情報を蓄積する。ステップＳ３０１に戻る。
【００２７】
（ステップＳ３０５）入力受付部１２０７は、出力指示を受け付けたか否かを判断する。出力指示を受け付ければステップＳ３０６に行き、出力指示を受け付けなければステップＳ３０１に戻る。
【００２８】
（ステップＳ３０６）スケジュール情報構成部１２０５は、ステップＳ３０４で蓄積した１以上の動作時刻情報を取得する。
【００２９】
（ステップＳ３０７）スケジュール情報構成部１２０５は、制約情報格納部１２０４の制約情報を取得する。
【００３０】
（ステップＳ３０８）スケジュール情報構成部１２０５は、ステップＳ３０６で取得した１以上の動作時刻情報とステップＳ３０７で取得した制約情報に基づいて、スケジュール情報を構成する。スケジュール情報を構成する方法の例は、後述する。
【００３１】
（ステップＳ３０９）スケジュール情報出力部１２０６は、ステップＳ３０８で構成したスケジュール情報を出力する。ステップＳ３０１に戻る。
【００３２】
なお、図３のフローチャートにおいて、電源オフや処理終了の割り込みにより処理は終了する。また、時刻は、電子機器１１から動作情報と一緒に送信されてきても良い。
【００３３】
以下、本実施の形態における情報処理システムの具体的な動作について説明する。今、電子機器として、掃除機、洗濯機、ドライヤー、ＴＶ、食洗機などがある。かかる電子機器は、電源ＯＮ、電源ＯＦＦなどの動作の情報を情報処理装置に送信する。図４は、電子機器から送信される動作情報の例である。動作情報は、電子機器を識別する情報を有する。また、ある主婦が、複数の電子機器を利用して家事等を行う場合に、効率的なスケジュールを提案する本情報処理システムについて述べる。
【００３４】
図４の（１）、（２）は、掃除機から送信される動作情報の例である。掃除機は時計を保持しておらず、電源ＯＮ、電源ＯＦＦの状況を検知して、図４の（１）、（２）に示す動作情報を構成し、情報処理装置に送信する。
【００３５】
図４の（３）、（４）は、洗濯機から送信される動作情報の例である。洗濯機は時計を保持しており、電源ＯＮ、電源ＯＦＦの状況を検知して、電源ＯＮ、ＯＦＦになった時刻も含む動作情報（図４の（３）、（４）に示す動作情報）を構成し、情報処理装置に送信する。
【００３６】
なお、時刻は、ＶＴＲ等の時刻の自動補正機能を有する他の電子機器から、時刻の情報を取得して、当該時刻の情報を用いることは好ましい。また、例えば、洗濯機の時計を上記ＶＴＲ等からの時刻情報により自動補正することは好ましい。さらに、情報処理装置側の時計を用いても良い。
【００３７】
以下、同様に、ドライヤー、ＴＶ、食洗機などが動作情報を構成し、情報処理装置に送信する。かかる場合、時計を保持している電子機器は、時刻の情報も送信する。時計を保持していない電子機器は、時刻の情報を含まない動作情報を送信する。
【００３８】
次に、情報処理装置は、図５に示す制約情報表を保持している。図５に示す制約情報表は、「ＩＤ」と「制約情報」を有するレコードを１以上格納している。「ＩＤ」はレコードを識別する情報であり、表管理上の要請のために存在する。「制約情報」は、同時に動作しない電子機器の情報を保持している。「×」は同時に動作しないことを示す。「ＩＤ＝１」のレコードによれば、掃除機と電話は同時に動作しない。
【００３９】 
また、情報処理装置は、図４の動作情報を受信し、時刻を有しない動作の場合は、受信した動作情報と現在時刻から動作時刻情報を構成する。そして、情報処理装置は、図６に示すように動作時刻情報を蓄積する。なお、時刻を有する動作情報を受信した場合は、情報処理装置は、当該動作情報を動作時刻情報として蓄積する。
【００４０】
次に、情報処理装置が、生活提案を行うスケジュール情報の出力指示を受け付けた場合の動作について説明する。
【００４１】
まず、情報処理装置は、蓄積している図６の動作時刻情報をすべて読み出す。図６の動作時刻情報から、主婦が実際に行った家事の行動を図７のように構成する。図７によれば、重複して複数の家事を行ってない。また、情報処理装置は、洗濯機の動作の前に洗濯物を洗濯機に入れる作業が発生すること、洗濯機の動作の後に洗濯物を干す作業が発生すること、食洗機が動作する前に食洗機の中に食器を入れる作業が発生すること、食洗機が動作した後に食器を片付ける作業が発生することの情報を保持している。そして、情報処理装置は、洗濯機や食洗機の動作の前後に、無条件に一定時間の作業時間を挿入する。以上のようにして、図７のスケジュール情報が完成する。
【００４２】
次に、情報処理装置は、図５の制約情報を読み出す。制約情報によれば、掃除機と電話およびドライヤーは同時に動作しないが、掃除機と洗濯機は同時に動作し得ることが判断できる。したがって、情報処理装置は、掃除機が動作している間、洗濯機を動作させるようなスケジュールを組む。そして、情報処理装置は、図８のスケジュール情報を構成する。そして、情報処理装置は、図８のスケジュール情報をディスプレイ等に出力する。なお、図８のスケジュール情報において、空いた時間を自由時間として利用することを明示している。かかる表示は、空き時間を認知し、当該空き時間が「自由時間」であることを明示する機能により可能である。
【００４３】
なお、図８の生活提案をするスケジュール情報の提示の際に、実際に主婦が行った家事スケジュールの情報である図７のスケジュール情報も表示すれば、一層、効果が高い。
【００４４】
以上、本実施の形態によれば、動作時刻情報と制約情報に基づいて、時間を有効に使えるようなスケジュール情報出力でき、好ましい生活提案ができる。
【００４５】
なお、本実施の形態によれば、情報処理装置は、電子機器から動作情報を受信したが、何らかの手段により情報処理装置が動作時刻情報を保持すれば良い。例えば、電子機器が動作時刻情報を、着脱可能な記録媒体に蓄積し、当該着脱可能な記録媒体を情報処理装置に挿入しても良い。つまり、本実施の形態において、格納している動作時刻情報と制約情報に基づいて、２以上の電子機器を動作させるスケジュールに関する情報であるスケジュール情報を構成するスケジュール情報構成ステップと、スケジュール情報出力するスケジュール情報出力ステップを具備する生活提案方法について説明した。
【００４６】
また、本実施の形態によれば、制約情報は、上述の情報に限られない。制約情報は、電子機器が動作できる時間帯を示す情報でも良い。比較的音が出る掃除機は、９時から１８時までの間しか動作しない、などといった制約情報もあり得る。かかることは、他の実施の形態においても同様である。
【００４７】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータに、格納している動作時刻情報と制約情報に基づいて、２以上の電子機器を動作させるスケジュールに関する情報であるスケジュール情報を構成するスケジュール情報構成ステップと、当該スケジュール情報を出力するスケジュール情報出力ステップを実行させるためのプログラムである。
【００４８】
（実施の形態２）
図９は、本実施の形態に係る情報処理システムの構成を示すブロック図である。情報処理システムは、電子機器１１と情報処理装置９２を具備する。
【００４９】
情報処理装置９２は、動作情報受信部１２０１、時計１２０２、動作時刻情報蓄積部１２０３、制約情報格納部１２０４、使用者スケジュール情報格納部９２０１、スケジュール情報構成部９２０５、スケジュール情報出力部１２０６、入力受付部１２０７を具備する。
【００５０】
使用者スケジュール情報格納部９２０１は、電子機器の使用者のスケジュールに関する情報である使用者スケジュール情報を格納している。使用者スケジュール情報のデータ構造は問わない。使用者スケジュール情報の具体例は後述する。使用者スケジュール情報格納部９２０１は、不揮発性の記録媒体が好適であるが、揮発性の記録媒体でも実現可能である。
【００５１】
スケジュール情報構成部９２０５は、使用者スケジュール情報格納部９２０１の使用者スケジュール情報と動作時刻情報蓄積部１２０３が蓄積した動作時刻情報と制約情報格納部１２０４の制約情報に基づいて、２以上の電子機器を動作させるスケジュールに関する情報であるスケジュール情報を構成する。スケジュール情報を構成するアルゴリズムは問わない。スケジュール情報構成部９２０５は、通常、ＭＰＵやメモリ等から実現され得る。スケジュール情報構成部９２０５が情報を構成するための処理手順は、通常、ソフトウェアで実現され、当該ソフトウェアはＲＯＭ等の記録媒体に記録されている。但し、ハードウェア（専用回路）で実現しても良い。
【００５２】
以下、本情報処理システムの動作について説明する。まず、情報処理装置９２の動作について図１０のフローチャートを用いて説明する。
【００５３】
（ステップＳ１００１）動作情報受信部１２０１は、動作情報を受信したか否かを判断する。動作情報を受信すればステップＳ１００２に行き、動作情報を受信しなければステップＳ１００５に飛ぶ。
【００５４】
（ステップＳ１００２）動作時刻情報蓄積部１２０３は、時計１２０２から現在時刻を取得する。
【００５５】
（ステップＳ１００３）動作時刻情報蓄積部１２０３は、ステップＳ１００１で受信した動作情報とステップＳ１００２で取得した時刻に基づいて動作時刻情報を構成する。
【００５６】
（ステップＳ１００４）動作時刻情報蓄積部１２０３は、ステップＳ１００３で構成した動作時刻情報を蓄積する。ステップＳ１００１に戻る。
【００５７】
（ステップＳ１００５）入力受付部１２０７は、出力指示を受け付けたか否かを判断する。出力指示を受け付ければステップＳ１００６に行き、出力指示を受け付けなければステップＳ１００１に戻る。
【００５８】
（ステップＳ１００６）スケジュール情報構成部９２０５は、ステップＳ１００４で蓄積した１以上の動作時刻情報を取得する。
【００５９】
（ステップＳ１００７）スケジュール情報構成部９２０５は、制約情報格納部１２０４の制約情報を取得する。
【００６０】
（ステップＳ１００８）スケジュール情報構成部９２０５は、使用者スケジュール情報格納部９２０１の使用者スケジュール情報を取得する。
【００６１】
（ステップＳ１００９）スケジュール情報構成部９２０５は、ステップＳ１００６で取得した１以上の動作時刻情報とステップＳ１００７で取得した制約情報とステップＳ１００８で取得した使用者スケジュール情報に基づいて、スケジュール情報を構成する。スケジュール情報を構成する方法の例は、後述する。
【００６２】
（ステップＳ１０１０）スケジュール情報出力部１２０６は、ステップＳ１００８で構成したスケジュール情報を出力する。ステップＳ１００１に戻る。
【００６３】
以下、本実施の形態における情報処理システムの具体的な動作について説明する。今、電子機器として、掃除機、洗濯機、ドライヤー、ＴＶ、食洗機などがある。かかる電子機器は、電源ＯＮ、電源ＯＦＦなどの動作の情報を情報処理装置に送信する。図４は、電子機器から送信される動作情報の例である。また、図６は、情報処理装置が蓄積した動作時刻情報の例である。動作情報は、電子機器を識別する情報を有する。また、ある主婦が、複数の電子機器を利用して家事等を行う場合に、その主婦固有のスケジュール情報である使用者スケジュール情報にも基づいて、効率的なスケジュールを提案する本情報処理システムについて述べる。
【００６４】
今、情報処理装置は、図５の制約情報を保持している。また、情報処理装置は、図１１の使用者スケジュール情報を格納している。使用者スケジュール情報は、「１５：００から１５：３０の間、幼稚園の息子を迎えに行くという行動」を示す情報である。
【００６５】
今、ユーザであるこの主婦の家事の実態は、図７に示すスケジュールである。図７のスケジュールによると、食器の片付けが終了すると直ちに、幼稚園の息子を迎えに行かねばならず、非常に慌しく、余裕の無い生活になっている。
【００６６】
そこで、情報処理装置は、図７の動作時刻情報と図５の制約情報と図１１の使用者スケジュール情報に基づいて図１２に示すスケジュールを構成する。つまり、情報処理装置は、使用者スケジュール情報が示す、何らかの行動の一定時間前（例えば、５分前）にはスケジュールを何も入れないスケジュール情報を構成する。かかる場合、テレビを視聴することは必須でない、と判断して、テレビを視聴する時間を削る、または、ある番組を視聴しない、というスケジュール情報を例えば、構成する。
【００６７】
また、情報処理装置は、かかる番組を、別の時間に視聴できるように、ＨＤＤレコーダー等の記録装置に自動的に録画する、という情報を構成しても良い。
【００６８】
情報処理装置が構成した図１２のスケジュール情報は、洗濯機と掃除機の動作が同時にできること、およびドライヤーと洗濯機の動作が同時にできることを制約情報から得て、掃除機とドライヤーの動作を洗濯機の動作と重なる時間帯で行うように構成されている。
【００６９】
また、短時間しか見ていない番組Ａ、番組Ｂのテレビ番組を視聴しないように、図１２のスケジュール情報は構成されている。なお、「一定時間以下しか見ていない番組は視聴しない」ルールは、スケジュール情報構成部が保持している、とする。
【００７０】
そして、情報処理装置は、テレビを視聴することは必須でないことを考慮して、また、使用者スケジュール情報（「１５：００から幼稚園の息子の迎えがある」という情報）に基づいて、番組Ｃのテレビ視聴を１５分切り上げるというスケジュール情報を構成する。
【００７１】
以上の処理で構成したスケジュール情報が、図１２に示すスケジュール情報である。そして、情報処理装置は、スケジュール情報を出力する際に、午前中、午後の一定時間以上の空き時間に対して、「自由時間」である旨を明示し、有効に利用することを促す。
【００７２】
以上、本実施の形態によれば、動作時刻情報と制約情報に基づいて、時間を有効に使えるようなスケジュール情報が出力でき、好ましい生活提案ができる。
【００７３】
なお、本実施の形態によれば、情報処理装置は、電子機器から動作情報を受信したが、何らかの手段により情報処理装置が動作時刻情報を保持すれば良い。例えば、電子機器が動作時刻情報を、着脱可能な記録媒体に蓄積し、当該着脱可能な記録媒体を情報処理装置に挿入しても良い。つまり、本実施の形態において、格納している動作時刻情報と使用者スケジュール情報と制約情報に基づいて、２以上の電子機器を動作させるスケジュールに関する情報であるスケジュール情報を構成するスケジュール情報構成ステップと、スケジュール情報出力するスケジュール情報出力ステップを具備する生活提案方法について説明した。
【００７４】
また、本実施の形態において、スケジュール情報を、ネットワークを介して、相互に利用することは好ましい。同じ家事をする複数のユーザ（ユーザ１、ユーザ２、・・・、ユーザｎ）が存在し、ユーザ３のスケジュールに最も自由時間がある場合、他のユーザに、ユーザ３のスケジュール情報を提示、出力することは好ましい。かかるＷｅｂサイトを運営することは好適である。また、かかるＷｅｂサイトの運営により、会員を募集し、当該会員から会費を徴収したり、バナー広告により収益をあげたりすることは好適である。
【００７５】
また、本実施の形態において、電子機器の動作状況をモニタすることで、電子機器の制約情報を生成できる。例えば、一人のユーザの下で同時に動作している２つの電子機器がある場合、「この二つの電子機器は同時に動作できる」とするなどである。電子機器が３つ以上動作している場合も同様である。
【００７６】
また、本実施の形態において、家庭内、正確には、電子機器を使えるユーザの数、ユーザが誰であるか、という情報に基づいて、電子機器の操作（使用）の割り振りを行うスケジュールを立てることは好適である。例えば、お母さんは調理用電子機器、お父さんは掃除用電子機器、娘は洗濯機用電子機器を割り振って、並行してできるだけ速やかに必要な家事をすませることができる。
【００７７】
さらに、本実施の形態における情報処理装置を実現するソフトウェアは、以下のようなプログラムである。つまり、このプログラムは、コンピュータに、格納している動作時刻情報と使用者スケジュール情報と制約情報に基づいて、２以上の電子機器を動作させるスケジュールに関する情報であるスケジュール情報を構成するスケジュール情報構成ステップと、スケジュール情報を出力するスケジュール情報出力ステップを実行させるためのプログラムである。
【発明の効果】
以上のように本発明によれば、忙しい主婦等に対して、主として、家事労働を効率的に行い、ゆとりを生み出す生活提案が行える。
【図面の簡単な説明】
【図１】実施の形態１に係る情報処理システムの概念図
【図２】実施の形態１に係る情報処理システムの構成を示すブロック図
【図３】実施の形態１に係る情報処理装置の動作について説明するフローチャート
【図４】実施の形態１に係る電子機器から送信される動作情報の例を示す図
【図５】実施の形態１に係る制約情報表を示す図
【図６】実施の形態１に係る動作時刻情報の例を示す図
【図７】実施の形態１に係る主婦が実際に行った家事の行動の情報を示す図
【図８】実施の形態１に係るスケジュール情報の出力例を示す図
【図９】実施の形態２に係る情報処理システムの構成を示すブロック図
【図１０】実施の形態２に係る情報処理装置の動作について説明するフローチャート
【図１１】実施の形態２に係る使用者スケジュール情報の例を示す図
【図１２】実施の形態２に係るスケジュール情報の出力例を示す図
【符号の説明】
１１  電子機器
１２  情報処理装置
１１０１  動作部
１１０２  動作情報構成部
１１０３  動作情報送信部
１２０１  動作情報受信部
１２０２  時計
１２０３  動作時刻情報蓄積部
１２０４  制約情報格納部
１２０５、９２０５  スケジュール情報構成部
１２０６  スケジュール情報出力部
１２０７  入力受付部
９２０１  使用者スケジュール情報格納部
【図１】
2004259116.tif 000003
【図２】
2004259116.tif 000004
【図３】
2004259116.tif 000005
【図４】
2004259116.tif 000006
【図５】
2004259116.tif 000007
【図６】
2004259116.tif 000008
【図７】
2004259116.tif 000009
【図８】
2004259116.tif 000010
【図９】
2004259116.tif 000011
【図１０】
2004259116.tif 000012
【図１１】
2004259116.tif 000013
【図１２】
2004259116.tif 000014